【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
第１の平面に配置されたラウドスピーカを用いて３次元音場内に仮想化オーディオ情報を提供する方法であって、前記仮想化オーディオ情報は、前記第１の平面以外の可聴情報を含むものとして聴取者に知覚され、
前記方法は、
第１のプロセッサ回路を用いて、前記第１の平面からオフセットしたラウドスピーカを用いたオーディオ再生で使用するように構成された少なくとも１つの高さオーディオ信号を受け取るステップと、
前記第１のプロセッサ回路を用いて、前記少なくとも１つの高さオーディオ信号に対応し方位角パラメータを含む定位情報を受け取るステップと、
前記第１のプロセッサ回路を用いて、前記方位角パラメータに関する情報を用いて第１の仮想高さフィルタを選択するステップと、
前記第１のプロセッサ回路を用いて前記第１の仮想高さフィルタを前記少なくとも１つの高さオーディオ信号に適用するステップを含む、仮想化オーディオ信号を生成するステップであって、前記仮想化オーディオ信号は、前記第１の平面にある１又は２以上のラウドスピーカを用いたオーディオ再生で使用するように構成され、前記仮想化オーディオ信号は、前記１又は２以上のラウドスピーカを用いて再生されるときに、前記第１の平面以外の可聴情報を含むものとして聴取者に知覚されるようになる、ステップと、
を含む方法。
【請求項２】
前記仮想化オーディオ信号を生成する前記ステップは、前記仮想化オーディオ信号が前記１又は２以上のラウドスピーカを用いて再生されるときに、前記仮想化オーディオ信号が、前記ラウドスピーカの水平面から第２の平面へ垂直方向に上方又は下方へ広がる可聴情報を含むものとして前記聴取者に知覚されるように、前記信号を生成するステップを含む、請求項１に記載の方法。
【請求項３】
前記仮想化オーディオ信号を生成する前記ステップは、前記仮想化オーディオ信号が前記１又は２以上のラウドスピーカを用いて再生されるときに、前記仮想化オーディオ信号が、前記ラウドスピーカの水平面に対して高所又は低所にある音源から生じるものとして前記聴取者に知覚されるように、前記信号を生成するステップを含む、請求項１に記載の方法。
【請求項４】
前記仮想化オーディオ信号を生成する前記ステップは、前記第１の仮想高さフィルタを適用する前に、水平面仮想化を前記少なくとも１つの高さオーディオ信号に適用するステップを含む、請求項１に記載の方法。
【請求項５】
前記仮想化オーディオ信号を生成する前記ステップは、前記第１の仮想高さフィルタを適用した後に、水平面仮想化を前記少なくとも１つの高さオーディオ信号に適用するステップを含む、請求項１に記載の方法。
【請求項６】
オーディオ信号ミキサ回路を用いて、前記仮想化オーディオ信号を、前記第１の平面にある前記１又は２以上のラウドスピーカを用いて同時に再生される１又は２以上の他の信号と混合するステップを更に含む、請求項１に記載の方法。
【請求項７】
前記少なくとも１つの高さオーディオ信号を受け取る前記ステップは、前記聴取者の水平面である前記第１の平面に対して高所にある異なるラウドスピーカを用いた再生を目的とする第１及び第２の高さオーディオチャンネルに関する情報を受け取るステップを含み、
前記定位情報を受け取る前記ステップは、前記第１及び前記第２の高さオーディオ信号チャンネルに対してそれぞれの方位角パラメータを受け取るステップを含み、
前記選択するステップは、前記それぞれの方位角パラメータに関する情報を用いて異なるそれぞれの第１及び第２の仮想高さフィルタを選択するステップを含み、
前記生成するステップは、前記第１のプロセッサ回路を用いて前記第１及び第２の仮想高さフィルタをそれぞれ前記第１及び第２の高さオーディオチャンネルに適用して、それぞれの第１及び第２の仮想化オーディオ信号を提供するステップを含み、前記第１及び第２の仮想化オーディオ信号が前記水平面にあるラウドスピーカを用いて再生されるときに、前記再生された信号は、前記水平面以外の可聴情報を含むものとして前記聴取者に知覚される、請求項１に記載の方法。
【請求項８】
前記生成するステップは、前記第１及び第２の仮想高さフィルタを適用する前に前記第１及び第２の高さオーディオ信号を脱相関させるステップを含む、請求項７に記載の方法。
【請求項９】
前記第１及び第２の高さオーディオチャンネルに対する前記それぞれの方位角パラメータは、実質的に対称的な方位角であり、前記選択された異なるそれぞれの第１及び第２の高さフィルタは、同側及び対側の頭部伝達関数データに基づく加算フィルタ及び差分フィルタを含む、請求項７に記載の方法。
【請求項１０】
前記定位情報を受け取る前記ステップは、高度パラメータを受け取るステップを更に含み、前記第１の仮想高さフィルタを選択する前記ステップは、前記方位角パラメータに関する情報を使用するステップと前記高度パラメータに関する情報を使用するステップとを含む、請求項１に記載の方法。
【請求項１１】
前記第１の仮想高さフィルタを選択する前記ステップは、頭部伝達関数から導出される仮想高さフィルタを選択するステップを含む、請求項１に記載の方法。
【請求項１２】
前記仮想化オーディオ信号を生成する前記ステップは、前記第１のプロセッサ回路を用いて前記仮想化オーディオ信号に水平面空間化を適用するステップを更に含む、請求項１に記載の方法。
【請求項１３】
前記第１のプロセッサ回路を用いて前記聴取者の水平面にあるラウドスピーカを用いた再生を目的とする他のオーディオ信号に対して水平面空間化を適用するステップを含む、水平面に対する空間的に強調されたオーディオ信号を生成するステップと、
前記仮想化オーディオ信号を前記空間的に強調されたオーディオ信号と混合して、前記聴取者の水平面にある前記ラウドスピーカを用いてサラウンド音響を提供するステップと、
を更に含む、請求項１２に記載の方法。
【請求項１４】
水平面にあるラウドスピーカを用いた３次元音場に仮想化オーディオ情報を提供するように構成されたオーディオ信号処理システムであって、前記仮想化オーディオ情報は、前記水平面以外の可聴情報を含むものとして聴取者に知覚され、
前記システムは、
聴取者に対して高所にあるラウドスピーカを用いた再生を目的とするオーディオ信号情報を含む少なくとも１つの高さオーディオ信号を受け取るように構成されたオーディオ信号入力と、
前記少なくとも１つの高さオーディオ信号に関する定位情報を受け取るように構成され、第１の方位角パラメータを含む定位信号入力と、
１又は２以上の仮想高さフィルタを含むメモリ回路であって、前記仮想高さフィルタの各々が１又は２以上の方位角パラメータと関係付けられるメモリ回路と、
オーディオ信号プロセッサ回路と、
を備え、
前記オーディオ信号プロセッサ回路が、
前記第１の方位角パラメータを用いて前記メモリ回路から第１の仮想高さフィルタを取り出し、
前記第１の仮想高さフィルタを前記少なくとも１つの高さオーディオ信号に適用することによって仮想化オーディオ信号を生成する、
ように構成され、前記仮想化オーディオ信号が前記水平面にある１又は２以上のラウドスピーカを用いて再生されるときに、前記仮想化オーディオ信号は、前記水平面以外の可聴情報を含むものとして前記聴取者に知覚される、ことを特徴とするシステム。
【請求項１５】
前記オーディオ信号入力に結合され、前記少なくとも１つの高さオーディオ信号を受け取るように構成された脱相関回路を更に備え、前記脱相関回路は、前記高さオーディオ信号に含まれる１又は２以上のオーディオチャンネルに脱相関フィルタを適用するように構成される、請求項１４に記載のシステム。